【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
少なくともコントラストオートフォーカス方式と位相差オートフォーカス方式との二つの合焦方式を備えたオートフォーカス装置であって、
被写体の輝度画像を取得する第１の撮像素子と、
前記被写体の距離画像を取得する第２の撮像素子と、
前記第１の撮像素子により取得された輝度画像に複数のフォーカスエリアを設定するフォーカスエリア設定手段と、
前記輝度画像と前記フォーカスエリア設定手段により設定された複数のフォーカスエリアとに基づいて、当該複数のフォーカスエリアのフォーカス評価値を夫々取得するフォーカス評価値取得手段と、
前記フォーカス評価値取得手段により夫々取得されたフォーカス値に基づいて、前記被写体までの第１の距離情報を取得する第１の距離情報取得手段と、
前記第２の撮像素子により取得された距離画像に基づいて、前記被写体までの複数の距離情報を取得する被写体距離取得手段と、
前記被写体距離取得手段により取得された前記複数の距離情報に基づいて、前記被写体までの第２の距離情報を取得する第２の距離情報取得手段と、
前記第１の距離情報取得手段により取得された第１の距離情報と前記第２の距離情報取得手段により取得された第２の距離情報とを比較する距離情報比較手段と、
前記距離情報比較手段による比較結果に基づいて、前記被写体の合焦のための選択として、前記コントラストオートフォーカス方式又は前記位相差オートフォーカス方式のいずれかを選択する合焦方式選択手段と、
を備えることを特徴とするオートフォーカス装置。
【請求項２】
前記第１の距離情報取得手段により取得された第１の距離情報と前記第２の距離情報取得手段により取得された第２の距離情報とを比較するためのスケールを設定するスケール設定手段と、
前記スケール設定手段により設定されたスケールに基づいて、前記第１の距離情報及び前記第２の距離情報における距離レベルを夫々取得する距離レベル取得手段と、
前記距離レベル取得手段により取得された夫々の距離レベルの差を取得する距離レベル差取得手段と、を更に備え、
前記距離情報比較手段は、前記距離レベル差取得手段により取得された前記距離レベルの差と予め設定された閾値とを比較することを特徴とする請求項１に記載のオートフォーカス装置。
【請求項３】
前記合焦方式選択手段は、前記距離レベル差取得手段により取得された前記第１の距離情報における距離レベルと前記第２の距離情報における距離レベルの差が前記閾値未満のときは、前記コントラストオートフォーカス方式を選択し、前記距離レベル差取得手段により取得された前記第１の距離情報における距離レベルと前記第２の距離情報における距離レベルの差が前記閾値以上のときは、前記位相差オートフォーカス方式を選択することを特徴とする請求項２に記載のオートフォーカス装置。
【請求項４】
前記フォーカス評価値取得手段により夫々取得されたフォーカス値の平均値を算出する平均フォーカス値算出手段と、
前記被写体距離取得手段により取得された前記複数の被写体までの距離情報の平均値を算出する平均距離情報算出手段と、を更に備え、
前記第１の距離情報取得手段は、前記平均フォーカス値算出手段により算出された平均値に基づいて、前記第１の距離情報を取得し、
前記第２の距離情報取得手段は、前記平均距離情報算出手段により算出された平均値を前記第２の距離情報として取得することを特徴とする請求項１乃至３のいずれかに記載のオートフォーカス装置。
【請求項５】
被写体の輝度画像を取得する第１の撮像素子と、前記被写体の距離画像を取得する第２の撮像素子と、少なくともコントラストオートフォーカス方式と位相差オートフォーカス方式との二つの合焦方式を備える撮像装置のオートフォーカス方式選択方法であって、
前記第１の撮像素子により取得された輝度画像に複数のフォーカスエリアを設定するフォーカスエリア設定ステップと、
前記輝度画像と前記フォーカスエリア設定ステップにて設定された複数のフォーカスエリアとに基づいて、各フォーカスエリアのフォーカス評価値を取得するフォーカス評価値取得ステップと、
前記フォーカス評価値取得ステップにて取得された各フォーカスエリアのフォーカス値に基づいて、前記被写体までの第１の距離情報を取得する第１の距離情報取得ステップと、
前記第２の撮像素子にて取得された距離画像に基づいて、前記被写体までの複数の距離情報を取得する被写体距離取得ステップと、
前記被写体距離取得ステップにて取得された前記複数の距離情報に基づいて、前記被写体までの第２の距離情報を取得する第２の距離情報取得ステップと、
前記第１の距離情報取得ステップにて取得された第１の距離情報と前記第２の距離情報取得ステップにて取得された第２の距離情報とを比較する距離情報比較ステップと、
前記距離情報比較ステップによる比較結果に基づいて、前記被写体の合焦のための選択として、コントラストオートフォーカス方式又は位相差オートフォーカス方式のいずれかを選択する合焦方式選択ステップと、
を含むことを特徴とするオートフォーカス方式選択方法。
【請求項６】
被写体の輝度画像を取得する第１の撮像素子と、前記被写体の距離画像を取得する第２の撮像素子と、少なくともコントラストオートフォーカス方式と位相差オートフォーカス方式との二つの合焦方式を備える撮像装置のコンピュータを、
前記第１の撮像素子により取得された輝度画像に複数のフォーカスエリアを設定するフォーカスエリア設定手段、
前記輝度画像と前記フォーカスエリア設定手段により設定された複数のフォーカスエリアとに基づいて、各フォーカスエリアのフォーカス評価値を取得するフォーカス評価値取得手段、
前記フォーカス評価値取得手段により取得された各フォーカスエリアのフォーカス値に基づいて、前記被写体までの第１の距離情報を取得する第１の距離情報取得手段、
前記第２の撮像素子により取得された距離画像に基づいて、前記被写体までの複数の距離情報を取得する被写体距離取得手段、
前記被写体距離取得手段により取得された前記複数の距離情報に基づいて、前記被写体までの第２の距離情報を取得する第２の距離情報取得手段、
前記第１の距離情報取得手段により取得された第１の距離情報と前記第２の距離情報取得手段により取得された第２の距離情報とを比較する距離情報比較手段、
前記距離情報比較手段による比較結果に基づいて、前記被写体の合焦のための選択として、コントラストオートフォーカス方式又は位相差オートフォーカス方式のいずれかを選択する合焦方式選択手段、
として機能させることを特徴とするプログラム。
【手続補正２】
【補正対象書類名】明細書
【補正対象項目名】発明の名称
【補正方法】変更
【補正の内容】
【発明の名称】オートフォーカス装置、オートフォーカス方式選択方法及びプログラム
【手続補正３】
【補正対象書類名】明細書
【補正対象項目名】０００１
【補正方法】変更
【補正の内容】
【０００１】
本発明は、オートフォーカス装置、オートフォーカス方式選択方法及びプログラムに関するものである。
【手続補正４】
【補正対象書類名】明細書
【補正対象項目名】０００９
【補正方法】変更
【補正の内容】
【０００９】
本発明は、上記問題点に鑑みてなされたものであり、より正確に、被写体に焦点を合わせることが可能なオートフォーカス装置、オートフォーカス方式選択方法及びプログラムを提供することを目的とする。
【手続補正５】
【補正対象書類名】明細書
【補正対象項目名】００１０
【補正方法】変更
【補正の内容】
【００１０】
この目的を達成するため、本発明の第１の観点に係るオートフォーカス装置は、
少なくともコントラストオートフォーカス方式と位相差オートフォーカス方式との二つの合焦方式を備えたオートフォーカス装置であって、
被写体の輝度画像を取得する第１の撮像素子と、
前記被写体の距離画像を取得する第２の撮像素子と、
前記第１の撮像素子により取得された輝度画像に複数のフォーカスエリアを設定するフォーカスエリア設定手段と、
前記輝度画像と前記フォーカスエリア設定手段により設定された複数のフォーカスエリアとに基づいて、当該複数のフォーカスエリアのフォーカス評価値を夫々取得するフォーカス評価値取得手段と、
前記フォーカス評価値取得手段により夫々取得されたフォーカス値に基づいて、前記被写体までの第１の距離情報を取得する第１の距離情報取得手段と、
前記第２の撮像素子により取得された距離画像に基づいて、前記被写体までの複数の距離情報を取得する被写体距離取得手段と、
前記被写体距離取得手段により取得された前記複数の距離情報に基づいて、前記被写体までの第２の距離情報を取得する第２の距離情報取得手段と、
前記第１の距離情報取得手段により取得された第１の距離情報と前記第２の距離情報取得手段により取得された第２の距離情報とを比較する距離情報比較手段と、
前記距離情報比較手段による比較結果に基づいて、前記被写体の合焦のための選択として、前記コントラストオートフォーカス方式又は前記位相差オートフォーカス方式のいずれかを選択する合焦方式選択手段と、を備えることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、請求項２記載の発明は、請求項１に記載のオートフォーカス装置であって、
前記第１の距離情報取得手段により取得された第１の距離情報と前記第２の距離情報取得手段により取得された第２の距離情報とを比較するためのスケールを設定するスケール設定手段と、
前記スケール設定手段により設定されたスケールに基づいて、前記第１の距離情報及び前記第２の距離情報における距離レベルを夫々取得する距離レベル取得手段と、
前記距離レベル取得手段により取得された夫々の距離レベルの差を取得する距離レベル差取得手段と、を更に備え、
前記距離情報比較手段は、前記距離レベル差取得手段により取得された前記距離レベルの差と予め設定された閾値とを比較することを特徴とする。
【手続補正８】
【補正対象書類名】明細書
【補正対象項目名】００１３
【補正方法】変更
【補正の内容】
【００１３】
また、請求項３記載の発明は、請求項２に記載のオートフォーカス装置であって、前記合焦方式選択手段は、前記距離レベル差取得手段により取得された前記第１の距離情報における距離レベルと前記第２の距離情報における距離レベルの差が前記閾値未満のときは、前記コントラストオートフォーカス方式を選択し、前記距離レベル差取得手段により取得された前記第１の距離情報における距離レベルと前記第２の距離情報における距離レベルの差が前記閾値以上のときは、前記位相差オートフォーカス方式を選択することを特徴とする。
【手続補正９】
【補正対象書類名】明細書
【補正対象項目名】００１４
【補正方法】変更
【補正の内容】
【００１４】
また、請求項４記載の発明は、請求項１乃至３のいずれかに記載のオートフォーカス装置であって、
前記フォーカス評価値取得手段により夫々取得されたフォーカス値の平均値を算出する平均フォーカス値算出手段と、
前記被写体距離取得手段により取得された前記複数の被写体までの距離情報の平均値を算出する平均距離情報算出手段と、を更に備え、
前記第１の距離情報取得手段は、前記平均フォーカス値算出手段により算出された平均値に基づいて、前記第１の距離情報を取得し、
前記第２の距離情報取得手段は、前記平均距離情報算出手段により算出された平均値を前記第２の距離情報として取得することを特徴とする。
【手続補正１０】
【補正対象書類名】明細書
【補正対象項目名】００１５
【補正方法】変更
【補正の内容】
【００１５】
本発明の第２の観点に係るオートフォーカス方式選択方法は、
被写体の輝度画像を取得する第１の撮像素子と、前記被写体の距離画像を取得する第２の撮像素子と、少なくともコントラストオートフォーカス方式と位相差オートフォーカス方式との二つの合焦方式を備える撮像装置のオートフォーカス方式選択方法であって、
前記第１の撮像素子により取得された輝度画像に複数のフォーカスエリアを設定するフォーカスエリア設定ステップと、
前記輝度画像と前記フォーカスエリア設定ステップにて設定された複数のフォーカスエリアとに基づいて、各フォーカスエリアのフォーカス評価値を取得するフォーカス評価値取得ステップと、
前記フォーカス評価値取得ステップにて取得された各フォーカスエリアのフォーカス値に基づいて、前記被写体までの第１の距離情報を取得する第１の距離情報取得ステップと、
前記第２の撮像素子にて取得された距離画像に基づいて、前記被写体までの複数の距離情報を取得する被写体距離取得ステップと、
前記被写体距離取得ステップにて取得された前記複数の距離情報に基づいて、前記被写体までの第２の距離情報を取得する第２の距離情報取得ステップと、
前記第１の距離情報取得ステップにて取得された第１の距離情報と前記第２の距離情報取得ステップにて取得された第２の距離情報とを比較する距離情報比較ステップと、
前記距離情報比較ステップによる比較結果に基づいて、前記被写体の合焦のための選択として、コントラストオートフォーカス方式又は位相差オートフォーカス方式のいずれかを選択する合焦方式選択ステップと、
を含むことを特徴とする。
【手続補正１１】
【補正対象書類名】明細書
【補正対象項目名】００１６
【補正方法】変更
【補正の内容】
【００１６】
本発明の第３の観点に係るプログラムは、
被写体の輝度画像を取得する第１の撮像素子と、前記被写体の距離画像を取得する第２の撮像素子と、少なくともコントラストオートフォーカス方式と位相差オートフォーカス方式との二つの合焦方式を備える撮像装置のコンピュータを、
前記第１の撮像素子により取得された輝度画像に複数のフォーカスエリアを設定するフォーカスエリア設定手段、
前記輝度画像と前記フォーカスエリア設定手段により設定された複数のフォーカスエリアとに基づいて、各フォーカスエリアのフォーカス評価値を取得するフォーカス評価値取得手段、
前記フォーカス評価値取得手段により取得された各フォーカスエリアのフォーカス値に基づいて、前記被写体までの第１の距離情報を取得する第１の距離情報取得手段、
前記第２の撮像素子により取得された距離画像に基づいて、前記被写体までの複数の距離情報を取得する被写体距離取得手段、
前記被写体距離取得手段により取得された前記複数の距離情報に基づいて、前記被写体までの第２の距離情報を取得する第２の距離情報取得手段、
前記第１の距離情報取得手段により取得された第１の距離情報と前記第２の距離情報取得手段により取得された第２の距離情報とを比較する距離情報比較手段、
前記距離情報比較手段による比較結果に基づいて、前記被写体の合焦のための選択として、コントラストオートフォーカス方式又は位相差オートフォーカス方式のいずれかを選択する合焦方式選択手段、
として機能させることを特徴とする。